(57)【要約】【課題】  気密性能、遮音性能、水密性能に優れたサッシとする。【解決手段】  サッシ枠１に内障子１０と外障子２０を装着し、そのサッシ枠１と内障子１０との間を一次気密材、二次気密材で二重タイトとすることでサッシ枠１と内障子１０との間に空間を構成し、前記サッシ枠１と外障子２０との間を一次気密材、二次気密材で二重タイトとすることでサッシ枠１と外障子２０との間に空間を構成し、その各空間を室外側に開口して大気と等圧として水密性能を向上したサッシで、これによって、気密性能、遮音性能、水密性能に優れたサッシとなる。【選択図】  図２
2005282041.tif 000002
【特許請求の範囲】
【請求項１】
サッシ枠に内障子と外障子を装着し、そのサッシ枠と内障子及びサッシ枠と外障子をそれぞれ二重タイトしてサッシ枠と内障子との間、サッシ枠と外障子との間にそれぞれ空間を形成し、
前記各空間を室外側にそれぞれ開口して大気と等圧としたことを特徴とするサッシ。
【請求項２】
サッシ枠の一方の縦枠と内障子の戸当り框の間に縦空間を形成し、サッシ枠の下枠と内障子の下框との間に下横空間を形成し、
この縦空間と下横空間を連通し、前記内障子の戸当り框の上部摺動片の溝部と上枠の内上レールとの間に隙間を形成し、この隙間を通して前記縦空間を室外側に開口した請求項１記載のサッシ。
【請求項３】
サッシ枠に内障子と外障子を装着し、その内障子の室外側部とサッシ枠との間を上横一次気密材、下横一次気密材、縦一次気密材で気密して内障子の一次タイトラインを形成し、
前記内障子の室内側部とサッシ枠との間を上横二次気密材、下横二次気密材、縦二次気密材で気密して内障子の二次タイトラインを形成し、
前記内障子の召合せ框と下枠の間を下部風止部材で気密し、
前記内障子の召合せ框と上枠の間を上部風止部材で気密し、
前記内障子の戸先框と上枠の間を内障子用気密部材で気密し、
前記内障子の戸先框と一方の縦枠との間に密閉された縦空間、下框と下枠の間に密閉され、前記縦空間と連通した下横空間をそれぞれ形成した請求項２記載のサッシ。
【請求項４】
内障子の上框の室外側部に上横一次気密材を装着し、室内側部に上横二次気密材を装着し、その上横一次気密材、上横二次気密材を上枠の内上レールにそれぞれ装着して上横空間を形成し、
この上横空間と上部摺動片の溝部を連通した請求項３記載のサッシ。
【発明の詳細な説明】
【技術分野】
【０００１】
本発明は、サッシ枠に内障子と外障子を装着したサッシ、詳しくは、サッシ枠と内障子、外障子との間を気密、水密すると共に、室内側と室外側を遮音する装置に関する。
【背景技術】
【０００２】
特許文献１に、サッシ枠に内障子と外障子を装着したサッシが開示されている。
具体的には、内障子の室外側部に一次気密材、サッシ枠に二次気密材をそれぞれ設けて内障子の室内側周囲、室外側周囲とサッシ枠との間をそれぞれ気密・水密すると共に、一次気密材と二次気密材との間に空間を形成し、外障子の室外側部に一次気密材、サッシ枠に二次気密材をそれぞれ設けて外障子の室内側周囲、室外側周囲とサッシ枠との間をそれぞれ気密、水密すると共に、一次気密材と二次気密材との間に空間を形成している。
【０００３】
【特許文献１】特開平１１−２８０３５４号公報
【発明の開示】
【発明が解決しようとする課題】
【０００４】
前述のように内障子とサッシ枠との間、外障子とサッシ枠との間を一次気密材、二次気密材で二重に気密・水密（つまり二重タイト）することで、気密性能、遮音性能が向上するが、水密性能においては十分な効果を得られないことがある。
例えば、前述の空間内の圧力と外気の圧力に差があると、一次気密材による気密・水密部（つまり、タイト部）を越えて雨水等が空間に浸入することがある。
【０００５】
本発明の目的は、気密性能、遮音性能、水密性能に優れたサッシを提供することである。
【課題を解決するための手段】
【０００６】
本発明は、サッシ枠に内障子と外障子を装着し、そのサッシ枠と内障子及びサッシ枠と外障子をそれぞれ二重タイトしてサッシ枠と内障子との間、サッシ枠と外障子との間にそれぞれ空間を形成し、
前記各空間を室外側にそれぞれ開口して大気と等圧としたことを特徴とするサッシである。
【発明の効果】
【０００７】
本発明によれば、二重タイトして空間を形成したので、気密性能と遮音性能に優れたサッシである。
また、空間が大気と等圧であるから、一次タイト部から雨水等が空間に浸入することがなく、水密性能に優れたサッシである。
【発明を実施するための最良の形態】
【０００８】
図１に示すように、サッシ枠１に内障子１０と外障子２０が装着してある。この実施の形態では内障子１０と外障子２０が面内方向に移動自在に装着されて引き違いサッシとしてあるが、これに限ることはない。例えば、内障子１０と外障子２０の一方を固定し、他方を移動自在としても良い。
前記サッシ枠１は、上枠２と下枠３と左右の縦枠４を方形状に連結してある。
前記内障子１０は、上框１１と下框１２と戸当り框１３と召合せ框１４を方形状に連結し、その内部にパネル、例えば、ガラス１５が取付けてある。
前記外障子２０は、上框２１と下框２２と戸当り框２３と召合せ框２４を方形状に連結し、その内部にパネル、例えば、ガラス２５が取付けてある。
【０００９】
図２と図３に示すように、前記上枠２は室内寄り下面２ａに内上レール２ｂを備え、室外寄り下面２ｃに外上レール２ｄを備えている。
前記下枠３は室内寄り上面３ａに内下レール３ｂを備え、室外寄り上面３ｃに外下レール３ｄを備えている。
前記室外寄り上面３ｃは室内寄り上面３ａよりも低い。この室内寄り上面３ａと室外寄り上面３ｂとの間に横向面３ｅと縦向面３ｆでほぼ鉤形状の部分を有する。この横向片３ｅは室外寄り上面３ｃよりも高く、縦向面３ｆが室外寄り上面３ｃと連続している。
図２に示すように、前記内上レール２ｂと内下レール３ｂに沿って内障子１０が面内方向に移動する。
この内障子１０の下面（召合せ框１４の下面）は、下枠３の室内寄り上面３ａと横向面３ｅと相対向している。
図３に示すように、前記外上レール２ｄと外下レール３ｄに沿って外障子２０が面内方向に移動する。
この外障子２０の下面（召合せ框２４の下面）は、下枠３の室外寄り上面３ｃと相対向し、その外障子２０の下部室内側面（下框２２の下部室内側面）が前記縦向面３ｆと相対向している。
【００１０】
前記サッシ枠１と内障子１０は図２と図４に示すように二重タイトしてある。
例えば、上框１１の室外側部に上横一次気密材３０、室内側部に上横二次気密材３１がそれぞれ装着し、それらは内上レール２ｂにそれぞれ接する。
下框１２の室外側部に下横一次気密材３２が装着され、この下横一次気密材３２が内下レール３ｂに接する。
下枠３の室内側部に下横二次気密材３３が装着され、この下横二次気密材３３が下框１２の室内側下部に接する。
一方の縦枠４の室外側部に縦一次気密材３４、室内側部に縦二次気密材３５が装着され、その縦一次気密材３４が戸当り框１３の室外側部に接し、縦二次気密材３５が戸当り框１３の室内側に接する。
そして、各一次気密材３０，３２，３４の接触部で内障子１０の一次タイトラインを形成し、各二次気密材３１，３３，３５の接触部で内障子１０の二次タイトラインを形成している。内障子１０の一次タイトラインとは内障子１０の上框１１、下框１２、戸当り框１３の室外側部と上枠２、下枠３、一方の縦枠４との間を気密・水密する部分である。
内障子１０の二次タイトラインとは内障子１０の上框１１、下框１２、戸当り框１３の室内側部と上枠２、下枠３、一方の縦枠４との間を気密・水密する部分である。
【００１１】
前記サッシ枠１と外障子２０は図３と図４に示すように二重タイトしてある。
例えば、上框２１の室外側部に上横一次気密材４０、室内側部に上横二次気密材４１がそれぞれ装着し、それらは外上レール２ｄにそれぞれ接する。
下框２２の室外側部に下横一次気密材４２が装着され、この下横一次気密材４２が外下レール３ｄに接する。
下枠３の室内外側方向中間部に室内側部の下横二次気密材４３が装着され、この下横二次気密材４３が下框２２の室内側下部に接する。
戸当り框２３の室外側部に縦一次気密材４４が装着され、この縦一次気密材４４が他方の縦枠４の内向片４ａに接する。
他方の縦枠４の室内側部に縦二次気密材４５が装着され、その縦二次気密材４５が戸当り框１３の室内側に接する。
そして、各一次気密材４０，４２，４４の接触部で外障子２０の一次タイトラインを形成し、各二次気密材４１，４３，４５の接触部で外障子２０の二次タイトラインを形成している。外障子２０の一次タイトラインとは外障子２０の上框２１、下框２２、戸当り框２３の室外側部と上枠２、下枠３、一方の縦枠４との間を気密・水密する部分である。
外障子２０の二次タイトラインとは外障子２０の上框２１、下框２２、戸当り框２３の室内側部と上枠２、下枠３、一方の縦枠４との間を気密・水密する部分である。
【００１２】
前記内障子１０の召合せ框１４と外障子２０の召合せ框２４との間、つまり召合せ部は見付け方向室外側部の一次召合せ気密材４６と見付け方向室内側部の二次召合せ気密材４７で気密・水密される。
前記一次召合せ気密材４６は外障子２０の召合せ框２４の室内側面に装着されて内障子１０の召合せ框１４の室外側面に接し、一次召合せタイトラインを形成する。
前記二次召合せ気密材４７は内障子１０の召合せ框１４の室外側面に装着されて外障子２０の召合せ框２４の室内側面に接し、二次召合せタイトラインを形成する。
【００１３】
図５に示すように、上枠２の下面の内下レール２ｂと外上レール２ｄとの間の部分における召合せ部に上部風止部材５０が取付けてある。
この上部風止部材５０は各召合せ框１４，２４の上端面（上部摺動片）に接すると共に、一次上横気密材３０、二次上横気密材４１、一次、二次召合せ気密材４６，４７に接している。この上部風止部材５０は取付部５０ａにヒレ５０ｂを設けたものであるが、これに限ることはない。
【００１４】
前記下枠３の上面の横向面３ｅに室外側の下部風止部材５１が取付けてあり、室内側寄り上面３ａに室内側の下部風止部材５２が取付けてある。
前記室外側の下部風止部材５１は、図６に示すように一次止水部５３と二次止水部５４と排水部５５を備え、その一次止水部５３、二次止水部５４に内障子１０の召合せ框１４の室外寄り下端面（下部摺動片）が接し、下横一次気密材３２と一次召合せ気密材４６が一次止水部５３に接する。
前記各止水部は取付部５３ａ，５４ａにヒレ５３ｂ，５４ｂを設けたものであるが、これに限ることはない。
前記室内側の下部風止部材５２は内障子１０の召合せ框１４の室内寄り下端面（摺動片）が接し、下横二次気密材３３と接している。
この下部風止部材５２は取付部５２ａとヒレ５２ｂを備えているが、これに限ることはない。
【００１５】
前述のようであるから、内障子１０の一次タイトラインと外障子２０の一次タイトラインが一次召合せタイトラインによって連続して一次タイトラインを形成している。
前記内障子１０の二次タイトラインと外障子２０の二次タイトラインが二次召合せタイトラインによって連続して二次タイトラインを形成している。
これによって、サッシ枠１と内・外障子１０，２０が二重タイトされる。
【００１６】
図２と図７に示すように、上枠２の室内寄り下面２ａにおける一方の縦枠４寄りに内障子用気密部材６０が取付けてある。この内障子用気密部材６０は、取付部６１とヒレ６２を備えている。
この内障子用気密部材６０のヒレ６２は、内障子１０の戸当り框１３の室内寄りの上端面（上部摺動片）に接すると共に、上横二次気密材３１と接し、取付部６１が縦二次気密材３５に接している。
これによって、内障子１０の上部と上枠２との間、内障子１０の下部と下枠３との間、内障子１０の縦部（戸当り框１３）と一方の縦枠４との間に空間をそれぞれ構成している。
具体的には、縦一次気密材３４、縦二次気密材３５と戸当り框１３と一方の縦枠４との間に図４に示すように、縦空間ａを構成し、下横一次気密材３２、下横二次気密材３３と下框１２と下枠３の室内寄り上面３ａとの間に図２に示すように下横空間ｂを構成し、上框１１と内下レール２ｂとの間に図２に示すように、上横空間ｃを構成している。
前記縦空間ａの下部と下横空間ｂの一端部が連通し、縦空間ａの上部は内障子用気密部材６０で閉塞され、下横空間ｂの他端部は室内側の下部風止部材５２で閉塞されているので、縦空間ａと下横空間ｂは密閉空間である。
【００１７】
図７に示すように、内障子１０の戸当り框１３の上部には上部摺動片６３が取付けてある。この上部摺動片６３は内下レール２ｂが入り込む縦溝６３ａを有し、その縦溝６３ａと内下レール２ｂとの間に隙間がある。
この隙間を通して前記縦空間ａ、上横空間ｃの上部が室外に開口している。
図８に示すように、内障子１０の戸先框１３の下部には下部摺動片６４が取付けてある。この下部摺動片６４にも上部摺動片６３と同様に内下レール３ｂが入り込む縦溝（図示せず）を有し、その縦溝と内下レール３ｂとの間に隙間がある。
この隙間を通して前記縦空間ａの下部、下横空間ｂの一端部が室外側に開口する。
【００１８】
このようであるから、前述の縦空間ａ、下横空間ｂ、上横空間ｃが大気と等圧となるので、水密性が向上する。
つまり、内障子１０の１次タイトライン（上横一次気密材３０、下横一次気密材３２、縦一次気密材３４による気密、水密部）を越えて室内側に雨水等が浸入することがない。
なお、前述の一次気密材の気密、水密部に隙間を形成したり、サッシ枠又は内障子１０の框に外気導入孔を形成しても良い。
【００１９】
図３に示すように、上枠２の下面における他方の縦枠４寄りに外障子用気密部材７０が取付けてある。
この外障子用気密部材７０は取付部７１とヒレ７２を備えている。
外障子２０の戸当り框２３の上端面（上部摺動片）がヒレ７２に接する。前記上横二次気密材４１と縦二次気密材４５の上部がヒレ７２に接して両気密材が連続する。
この縦二次気密材４５の下部と下横二次気密材４３が連続する。
また、外障子２０の上横一次気密材４０、下横一次気密材４２、縦一次気密材４４が連続する。
これによって、サッシ枠１と上枠２と外障子２０の上部との間、下枠３と外障子２０の下部との間、縦枠４と外障子２０の縦部（戸当り框２３）の間に空間をそれぞれ形成している。
これらの空間はそれぞれ連通し、下枠３の室外寄り上面３ｃと下框２２、召合せ框２４の下端面（下部摺動片）との間の隙間から室外に開口し、大気と等圧となるようにしてある。
具体的には、縦一次気密材４４、縦二次気密材４５と戸先框２３と他方の縦枠４との間に図４に示すように、縦空間ｄを構成し、下横一次気密材４２と下横二次気密材４３と下框２２と下枠３の室外寄り上面３ｃとの間に図３に示すように下横空間ｅを構成し、上框２１と外下レール２ｄとの間に図３に示すように上横空間ｆを構成している。
【００２０】
この実施の形態は、上枠２、下枠３、縦枠４は室外側金属部材８０と室内側金属部材８１を断熱材８２で連結した断熱形材で、上枠２、他方の縦枠４は断熱材をカバーする樹脂部材８３を備えている。
前記下枠３の断熱材８２は、一側樹脂材８４と他側樹脂材８５でカバーしてある。
この一側樹脂材８４は内障子閉じ側に設けてあり、他側樹脂材８５は外障子閉じ側に設けてあり、この他側樹脂材８５に下横二次気密材４３が装着してある。
前記内・外障子１０，２０の上框１１，２１、下框１２，２２、戸当り框１３，２３、内障子１０の召合せ框１４は、室外側金属部材８６と室内側金属部材８７を断熱材８８で連結した断熱形材である。
これによって、断熱性に優れたサッシとしてある。
これに限ることはなく、金属部材のみより成る枠、框としても良いし、樹脂部材のみより成る枠、框としても良い。
【図面の簡単な説明】
【００２１】
【図１】サッシの概略内観図である。
【図２】図１のＡ−Ａ詳細断面図である。
【図３】図１のＢ−Ｂ詳細断面図である。
【図４】図１のＣ−Ｃ詳細断面図である。
【図５】図１の召合せ部分の縦断面図である。
【図６】下枠の下部風止部材取付部分の斜視図である。
【図７】内障子の戸当框寄り上部と縦枠の斜視図である。
【図８】内障子の戸当框寄り下部と縦枠、下枠の斜視図である。
【符号の説明】
【００２２】
１…サッシ枠、２…上枠、３…下枠、４…縦枠、１０…内障子、１１…上框、１２…下框、１３…戸当り框、１４…召合せ框、２０…外障子、２１…上框、２２…下框、２３…戸当り框、２４…召合せ框、３０…上横一次気密材、３１…上横二次気密材、３２…下横一次気密材、３３…下横二次気密材、３４…縦一次気密材、３５…縦二次気密材、４０…上横一次気密材、４１…上横二次気密材、４２…下横一次気密材、４３…下横二次気密材、４４…縦一次気密材、４５…縦二次気密材。
【図１】
2005282041.tif 000003
【図２】
2005282041.tif 000004
【図３】
2005282041.tif 000005
【図４】
2005282041.tif 000006
【図５】
2005282041.tif 000007
【図６】
2005282041.tif 000008
【図７】
2005282041.tif 000009
【図８】
2005282041.tif 000010